(57)【要約】【課題】排気筒に外力が伝わり難く、燃焼機器へのダメージを抑制し、燃焼機器の故障に至る不具合をなくする。【解決手段】燃焼機器６を収める筺体７にある排気口１０を覆う排気口１０から排出された燃焼排ガスを通す通風路１２がある排気カバー１３と、この排気カバー１３を筺体７外面から外部大気側へ突出させ、排気筒８の末端９開口部と隙間ａをあけて筺体７に固定することにより、筺体７に外部からの衝撃があっても排気筒８へ外力は伝わらず、燃焼機器６の故障に至る不具合はなくなる。【選択図】図２
2012057833.tif 000002
【特許請求の範囲】
【請求項１】
燃焼機器が収納されるとともに排気口を有する筺体と、
前記燃焼機器と連結し、前記燃焼機器から排出される燃焼排ガスを前記排気口を介し排気する排気筒と、
前記排気口から排出された燃焼排ガスを通すための通風路が形成されるとともに前記排気口を覆う排気カバーと、
を有し、
前記排気口カバーは前記筺体外面から外側へ突出し、前記排気筒の末端開口部と隙間をあけて前記筺体に固定される、
燃焼装置。
【請求項２】
前記排気筒と前記筺体との間の隙間を水密に塞ぐパッキンが、前記排気筒の外周に設けられ、
前記排気筒の前記末端開口部の外周は、前記通風路の外周より外側にある、
請求項１に記載の燃焼装置。
【発明の詳細な説明】
【技術分野】
【０００１】
本発明は炭化水素などの燃料を燃焼させる燃焼装置に関するものである。
【背景技術】
【０００２】
従来、この種の燃焼機器の排気装置は燃焼機器から発せられた燃焼排ガスを燃焼機器に繋がれた排気筒を通じ、燃焼機器を収納した筺体の排気口から外部大気に排出している。（例えば特許文献１参照）。
【０００３】
図５、図６は、前記公報に記載された従来の燃焼装置を示すものである。図５、図６に示すように、筺体１内の燃焼機器２から発せられる燃焼排ガスを排気するための燃焼機器２に繋がれた排気筒３の末端が筺体１にある排気口４まで導かれている。このような構成において、筺体１内に雨水等が浸入しないように、パッキン５が排気筒３の末端付近に設けられている。また、燃焼機器２から排気される高温の排気が筺体１外面に吹き付けられ、筺体１表面の塗装の熱劣化と燃焼排ガスに含まれる煤の付着とを防止するために、排気筒３の末端が筺体１外面から外側に突出して配置され、筺体１から所定距離はなれたところで排気するように構成されていた。
【先行技術文献】
【特許文献】
【０００４】
【特許文献１】特開２００７−３０９６１３号公報
【発明の概要】
【発明が解決しようとする課題】
【０００５】
しかしながら、前記従来の構成では、排気筒が筺体の排気口より外側に突出しているため、燃焼機器を設置する際などにその筺体に外部からの衝撃などの力が加わると、排気筒が外力を受けやすくなる。そのため、万一強い外力を受けると、この排気筒に繋がる燃焼機器にまで外力が伝わり、燃焼機器にダメージが与えられ、燃焼排ガスが筺体内へ漏れたり、燃焼排ガスの排出が停止したりするなどの故障に至る不具合が起こる、という課題を有していた。
【０００６】
本発明は、前記従来の課題を解決するもので、筺体表面の熱劣化や燃焼排ガスに含まれる煤の付着を抑制しつつ、筺体に接触しても排気筒へ外力が伝わり難いようにすることで、燃焼機器の故障を抑制する燃焼装置を提供することを目的とする。
【課題を解決するための手段】
【０００７】
前記従来の課題を解決するために、本発明の燃焼装置は、燃焼機器が収納されるとともに排気口を有する筺体と、
燃焼機器と連結し、燃焼機器から排出される燃焼排ガスを排気口を介し排気する排気筒と、
排気口から排出された燃焼排ガスを通すための通風路が形成されるとともに排気口を覆う排気カバーと、を有し、
排気口カバーは筺体外面から外側へ突出し、排気筒の末端開口部と隙間をあけて筺体に固定される、ものである。
【０００８】
これによって、燃焼排ガスを通す通風路を持つ排気カバーは筺体外面から外側へ突出しているので、従来通り燃焼排ガスが筺体から所定距離はなれたところで排気がされ、大気と混合する。そのため、高温の排気が筺体外面に吹き付けられた場合に筺体表面の塗装の
熱劣化および煤付着が起こることが抑制され、さらに、燃焼機器設置時など筺体に外部からの衝撃があったとしても、排気口カバーには外力が加わるが、排気筒にはその排気カバーと隙間があり、外力は排気筒に伝わり難くなり、燃焼機器へのダメージは著しく低減される。
【発明の効果】
【０００９】
本発明の燃焼機器によれば、筺体表面の熱劣化や燃焼排ガスに含まれる煤の付着を抑制しつつ、筺体に接触しても排気筒へ外力が伝わり難いようにすることで、燃焼機器の故障を抑制することができる。
【図面の簡単な説明】
【００１０】
【図１】本発明の実施の形態１における燃焼装置の構成を示すブロック図
【図２】本発明の実施の形態１における燃焼装置の排気口近傍の断面図
【図３】本発明の実施の形態１における燃焼装置の排気口近傍の外観斜視図
【図４】本発明の実施の形態２における燃焼装置の排気口近傍の断面図
【図５】従来の燃焼機器の排気装置の構成を示すブロック図
【図６】従来の燃焼機器の排気装置の断面図
【発明を実施するための形態】
【００１１】
第１の発明は、燃焼機器が収納されるとともに排気口を有する筺体と、
燃焼機器と連結し、燃焼機器から排出される燃焼排ガスを排気口を介し排気する排気筒と、
排気口から排出された燃焼排ガスを通すための通風路が形成されるとともに排気口を覆う排気カバーと、を有し、
排気口カバーは筺体外面から外側へ突出し、排気筒の末端開口部と隙間をあけて筺体に固定される燃焼装置である。これにより、燃焼排ガスを通す通風路を持つ排気カバーは筺体外面から外側へ突出しているので、従来通り燃焼排ガスが筺体から所定距離はなれたところで排気がされ、大気と混合する。そのため、高温の排気が筺体外面に吹き付けられた場合に筺体表面の塗装の熱劣化および煤付着が起こることが抑制され、さらに、燃焼機器設置時など筺体に外部からの衝撃があったとしても、排気口カバーには外力が加わるが、排気筒にはその排気カバーと隙間があり、外力は排気筒に伝わり難くなり、燃焼機器へのダメージは著しく低減される。
【００１２】
また、第１の発明において、排気筒と筺体との間の隙間を水密に塞ぐパッキンが、排気筒の外周に設けられ、
排気筒の末端開口部の外周は、通風路の外周より外側にあるように構成することが好適である。これにより、通風路を通じパッキンが外部大気に露出しなくなり、紫外線、雨、雪等の影響を受け難くなるので、パッキンの経時劣化を抑制することができる。
【００１３】
以下、本発明の実施の形態について、図面を参照しながら説明する。なお、本実施の形態によって本発明が限定されるものではない。また、以下の説明では、同一または相当部分には同一符号を付し、重複する説明は省略する。
【００１４】
（実施の形態１）
図１は、実施の形態１における燃焼装置の構成を示すブロック図であり、図２は実施の形態１における燃焼装置の排気口近傍の断面図を示すものであり、図３は本発明の実施の形態１における燃焼装置の排気口近傍の外観斜視図を示すものである。
【００１５】
図１、図２、図３において、燃焼装置２０は、ガス、石油など炭化水素の燃料を燃焼させて市水等を温め家庭内に給湯などを行う。また、燃焼装置２０は、その燃焼機器６が収
納される筺体７と、燃焼機器６に連結され燃焼機器６からの燃焼排ガスを排気する排気筒８と、を有している。
【００１６】
パッキン１１は、この排気口１０の内側の外周でかつ筺体７内面に排気筒８の末端９外周を囲うように固定され、筺体７と排気筒８とを水密に塞いでいる。排気カバー１３は、排気口１０を覆って筺体７に固定され、排気口１０から排出された燃焼排ガスを通す通風路１２が形成されている。この排気カバー１３を筺体７外面から突出しており、排気筒８の末端９開口部と隙間ａをあけて筺体７の外面に固定されている。
【００１７】
燃焼機器６から排出される燃焼排ガスは、排気筒８、燃焼排ガスが流れる排気筒８の下流側の末端９、筺体７に形成されている略矩形の排気口１０、排気カバー１３に形成されている通風路１２、を順に通過して、筺体７から外部に排出される。
【００１８】
以上のように構成された燃焼装置について、以下その動作、作用を説明する。
【００１９】
まず、ガス、石油などの燃料が供給された燃焼機器６は、その燃料を燃焼させると同時にこの燃焼で生じた熱で市水等を温め家庭内への給湯を行う。その際燃焼機器６には燃焼排ガスが発生し、この燃焼排ガスを燃焼機器６に連結する排気筒８を通じこの排気筒８の末端９から外部に排気され、大気と混合する。燃焼機器６が収納されている筺体７には排気筒８の末端９からの燃焼排ガスを排出するための排気口１０がある。この排気口１０の内側外周および排気筒８の末端９外周を囲うパッキン１１が、外部大気からの雨などの筺体７内への侵入を防ぐとともに、外部大気へ燃焼排ガスを、燃焼装置２０内に漏れないように排出する。一方この筺体７の排気口１０にはその排気口１０を覆うように筺体７から外部大気側へ突出した通風路１２を持つ排気カバー１３が設けられ、この通風路１２から燃焼排ガスが排気される。このような構成において燃焼排ガスを通す通風路１２を持つ排気カバー１３は筺体７外面から外側へ突出しているので、筺体７の外面から所定距離はなれたところで排気がされる。よって、高温の排気が筺体７外面に吹き付けられて筺体７表面の塗装が熱劣化したり煤が付着したりすることは防止される。さらに、排気筒８の末端９開口部は排気カバー１３と隙間ａをあけているので、燃焼機器６設置時など筺体７に外部からの衝撃があったとしても、排気カバー１３には外力が加わるが、排気筒８にはその排気カバー１３と隙間ａがあり、この隙間ａが外力を吸収し、排気筒８には外力は伝わらず排気筒８と連結された燃焼機器６はダメージを受けなくなる。
【００２０】
以上のように、本実施の形態においては排気カバー１３を筺体７外面から突出させ排気筒８の末端９開口部と隙間ａをあけて筺体７に固定した。これにより、筺体の劣化を抑制しつつ、筺体７に外部からの衝撃が生じても排気カバー１３が外力を受け止め、隙間ａが外力を吸収し排気筒８へ外力が伝わらなくなり燃焼機器６へのダメージを与えず、燃焼機器６の故障に至る不具合をなくすることができる。
【００２１】
（実施の形態２）
図４は、本発明の実施の形態２における燃焼装置の排気口近傍の断面図である。
【００２２】
実施の形態１と異なる点は、図４に示すように、排気筒８の末端９開口部の外周は通風路１２の外周より外側にある点である。
【００２３】
以上のように構成された燃焼装置について、以下その動作、作用を説明する。
【００２４】
通風路１２の外周より外側にある末端９開口部から燃焼排ガスが排出される。この時、パッキン１１は外部大気側から通風路１２を通じて見えることはない。
【００２５】
以上のように、本発明の形態においては通風路１２を通じパッキン１１が外部大気に露出しなくなり、紫外線、雨、雪等の影響を受ける難くなるので、パッキン１１の経時劣化を防止することができる。
【産業上の利用可能性】
【００２６】
以上のように、本発明にかかる燃焼機器の排気装置は、排気筒へ外力が伝わらなくし、燃焼機器へのダメージを抑制するので、燃焼機器だけでなく、都市ガスなどを燃焼させる改質器を有する固体高分子形燃料電池など、炭化水素を燃焼させる様々な機器に適用できる。
【符号の説明】
【００２７】
６  燃焼機器
７  筺体
８  排気筒
９  末端
１０  排気口
１１  パッキン
１２  通風路
１３  排気カバー
２０  燃焼装置
ａ  隙間
【図１】
2012057833.tif 000003
【図２】
2012057833.tif 000004
【図３】
2012057833.tif 000005
【図４】
2012057833.tif 000006
【図５】
2012057833.tif 000007
【図６】
2012057833.tif 000008